(57)【要約】【課題】積み込む運搬物の荷こぼれを防止するようにしたサンドイッチコンベヤを提供する。【解決手段】  サンドイッチコンベヤＸにおける第１のヘッドプーリ１の前方積込部の上記第１のベルト３を上が勾配に傾斜させ、次いで凸カーブをへて下がり勾配に傾斜させ、再度上向きの凹カーブとして上昇走行させ、上記第１のベルトの裏側荷受け部から上記下がり勾配の開始部迄の間にトラフ型の下側ローラ１１を配置し、また上記第１のベルトの上がり勾配の頂部の手前から重なり合う第２のベルト６の裏側で、上記下がり勾配の途中から前方にトラフ型の上側ローラ１２を配置した構成を採用する。【選択図】図１
2014043311.tif 000002
【特許請求の範囲】
【請求項１】
第１のヘッドプーリと第１のテールプーリとの間に途中のキャリヤ側が上昇方向に走行するように張り渡された第１のベルトと、第２のヘッドプーリと第２のテールプーリとの間に途中のキャリヤ側が上昇方向に走行するように張り渡された第２のベルトとを有し、上記第１のベルト及び第２のベルトのキャリヤ側を対向接近させてベルト対向部を形成すると共に、このベルト対向部間で運搬物を挟持しつつ下位から上位に運搬するようにしたサンドイッチコンベヤにおいて、
上記第１のヘッドプーリの前方積込部の上記第１のベルトを上が勾配に傾斜させ、次いで凸カーブをへて下がり勾配に傾斜させ、再度上向きの凹カーブとして上昇走行させ、上記第１のベルトの裏側荷受け部から上記下がり勾配の開始部迄の間にトラフ型の下側ローラを配置し、また上記第１のベルトの上がり勾配の頂部の手前から重なり合う上記第２のベルトの裏側で、上記下がり勾配の途中から前方にトラフ型の上側ローラを配置したことを特徴とするサンドイッチコンベヤ。
【発明の詳細な説明】
【技術分野】
【０００１】
この発明は、二枚のベルト間に運搬物を挟み込み、二枚のベルトを圧着させてベルトと運搬物間に発生する摩擦力によりベルトと同一速度で運搬物をベルトと同一の方向に運搬するコンベヤで、積み込む運搬物の荷こぼれを防止するようにしたサンドイッチコンベヤに関する。
【背景技術】
【０００２】
上述のような運搬物の供給積込部と排出部及びこれらの間に設けた登り傾斜や垂直の搬送部とによって構成されたサンドイッチコンベヤは、積込部から搬送部及び排出部に渡って二枚のベルトが張り渡され、この二枚のベルトを接近対向させて被運搬物を挟んで運搬し得るように構成されている（例えば、特許文献１，２，３及び４参照）。
【先行技術文献】
【特許文献】
【０００３】
【特許文献１】特開平０６−１３５５２４号公報
【特許文献２】特開平０６−１３５５２５号公報
【特許文献３】実公平０８−９０５１号公報
【特許文献４】特開平１１−１１７６８２号公報
【発明の概要】
【発明が解決しようとする課題】
【０００４】
ところで、特許文献１，２，３及び４の運搬物の供給積込部は、いずれも下位ベルトを水平な姿勢で荷受けしたままでその水平姿勢で前方に延び、次いで上位ベルトで運搬物を挟んで搬送するように下位ベルト及び上位ベルトが上向きに走行するようになっている。
【０００５】
このような方式によると、下位ベルトと上位ベルトとで運搬物を挟み込んでも、下位ベルトに対する上位ベルトの走行方向両側縁の圧接力が弱い。
【０００６】
上記の圧着力が弱い要因は、上下の二枚のベルト間で運搬物を挟み込むため、ベルトはトラフ状にする必要があるが、トラフは上向き湾曲部においてコンベヤ中央部にベルトを走行させるため、トラフの底が上になる凸形カーブになっていないからである。
そこで、この発明は、上述の問題を解消したサンドイッチコンベヤを提供することにある。
【課題を解決するための手段】
【０００７】
上記の課題を解決するために、この発明は、第１のヘッドプーリと第１のテールプーリとの間に途中のキャリヤ側が上昇方向に走行するように張り渡された第１のベルトと、第２のヘッドプーリと第２のテールプーリとの間に途中のキャリヤ側が上昇方向に走行するように張り渡された第２のベルトとを有し、上記第１のベルト及び第２のベルトのキャリヤ側を対向接近させてベルト対向部を形成すると共に、このベルト対向部間で運搬物を挟持しつつ下位から上位に運搬するようにしたサンドイッチコンベヤにおいて、上記第１のヘッドプーリの前方積込部の上記第１のベルトを上が勾配に傾斜させ、次いで凸カーブをへて下がり勾配に傾斜させ、再度上向きの凹カーブとして上昇走行させ、上記第１のベルトの裏側荷受け部から上記下がり勾配の開始部迄の間にトラフ型の下側ローラを配置し、また上記第１のベルトの上がり勾配の頂部の手前から重なり合う上記第２のベルトの裏側で、上記下がり勾配の途中から前方にトラフ型の上側ローラを配置した構成を採用する。
【発明の効果】
【０００８】
以上のように、この発明のサンドイッチコンベヤによれば、第１のベルトの第１のヘッドプーリの前方に積み込まれた運搬物は、トラフ型下ローラによるトラフ形状の上がり勾配の部分から凸カーブの部分をへて下がり勾配の部分に向かい、そして凹カーブとして上昇走行させ、同時にこの部分に凸カーブの頂上部分で水平になる第２のベルトを第１のベルトに重なるので、第１のベルト上の運搬物が第２のベルトにより上がり勾配の頂部の手前部分から下がり勾配に向けて包み込まれ、そして上向きの凹カーブをへて上昇方向に向かう。
【０００９】
その結果、第１のベルト及び第２のベルト間の圧着力は、第１のベルト及び第２のベルトを円弧状に湾曲させることによりベルトはベルト張力により常に円弧内側に押し付ける「力」が発生し、この「力」が２枚のベルト間の圧着力となってベルト（第１のベルトと第２のベルトとの）間から荷こぼれ（落下）がないすぐれた効果がある。
【図面の簡単な説明】
【００１０】
【図１】この発明のサンドイッチコンベヤを示す側面図である。
【図２】積込部を示す拡大側面図である。
【図３】図２のＡ−Ａ線に沿う拡大断面図である。
【図４】図２のＢ−Ｂ線に沿う拡大断面図である。
【図５】図２のＣ−Ｃ線に沿う拡大断面図である。
【図６】図２のＤ−Ｄ線に沿う拡大断面図である。
【図７】図２のＥ−Ｅ線に沿う拡大断面図である。
【図８】図２のＦ−Ｆ線に沿う拡大断面図である。
【図９】図２のＧ−Ｇ線に沿う拡大断面図である。
【図１０】図２のＨ−Ｈ線に沿う拡大断面図である。
【図１１】図２のＩ−Ｉ線に沿う拡大断面図である。
【図１２】図２のＪ−Ｊ線に沿う拡大断面図である。
【発明を実施するための形態】
【００１１】
この発明の実施の形態を添付図面に基づいて説明する。
図１に示すＸは、サンドイッチコンベヤである。
【００１２】
上記のサンドイッチコンベヤＸは、低所の第１のヘッドプーリ１と、高所の第１のテールプーリ２との間に途中のキャリヤ側が上昇方向に走行するように張り渡された第１のベルト３と、低所の第２のヘッドプーリ４と高所の第２のテールプーリ５との間にキャリヤ側で上昇方向に走行するように張り渡された第２のベルト６とを有し、第１のベルト３及び第２のベルト６のキャリヤ側を対向接近させてベルト対向部を形成すると共に、このベルト対向部間で運搬物Ｙを挟持しつつ下位から上位に運搬するように構成されている。
【００１３】
なお、挟持した運搬物Ｙを上昇方向に運搬する際、第１のベルト３と第２のベルト６間で運搬物Ｙが下方にすべり移動（流下）しないように第１のベルト３及び第２のベルト６を周知のように交互にジグザグ状に屈曲させてあり、第１のベルト３及び第２のベルト６の裏面側には、前後に並列するトラフ型のローラ７が配置されている。
【００１４】
勿論、第１のベルト３の第１のヘッドプーリ１を通過した部分には、ホッパー８から運搬物Ｙが供給され、第２のテールプーリ５の部分からシュート９に運搬物Ｙが排出される。
【００１５】
上記のように構成されたサンドイッチコンベヤＸの積込部の第１のベルト３を、図２に示すように、上がり勾配に傾斜させ、次いで凸カーブをへて下がり勾配に傾斜させ、再度上向きの凹カーブとして上昇走行させるようにしてある。
【００１６】
上記の第１のベルト３の第１のヘッドプーリ１からの上がり勾配の傾斜角度としては、１５°程度で、積込部としてあり、第１のベルト３は、トラフ型の下ローラ１１で裏面を支承して凹形トラフ状とし、次いで凸カーブを通過し、第１のベルト３を下がり勾配が
１７°程度近くで、第１のベルト３は再度上向きの凹カーブとして上昇させる。
【００１７】
そして第２のベルト６のキャリヤ側は、第１のベルト３の上がり勾配の頂部手前で重なり、そして下ローラ１１の終点から少し前方から第２のベルト６のキャリヤ側裏面に配置するトラフ型の上ローラ１２で第２のベルト６を支承する。
【００１８】
この構成により積み込まれた運搬物Ｙは、特別な押さえローラなどを使用することなく第１のベルト３及び第２のベルト６により合理的に包み込まれて上向きに搬送される。
【００１９】
すなわち、第１のベルト３及び第２のベルト６を円弧状に湾曲させることでベルトはベルト張力により常に円弧内側に押し付ける力が発生し、この力が第１のベルト３及び第２のベルト６間の圧着力（図６，７，８及び図９にしめすように）となり、側縁の強い圧着力で運搬物Ｙの落下をなくすることができる。
【符号の説明】
【００２０】
Ｘ  サンドイッチコンベヤ
Ｙ  運搬物
１  第１のヘッドプーリ
２  第１のテールプーリ
３  第１のベルト
４  第２のヘッドプーリ
５  第２のテールプーリ
６  第２のベルト
７  ローラ
８  ホッパー
９  シュート
１１  下ローラ
１２  上ローラ
【図１】
2014043311.tif 000003
【図２】
2014043311.tif 000004
【図３】
2014043311.tif 000005
【図４】
2014043311.tif 000006
【図５】
2014043311.tif 000007
【図６】
2014043311.tif 000008
【図７】
2014043311.tif 000009
【図８】
2014043311.tif 000010
【図９】
2014043311.tif 000011
【図１０】
2014043311.tif 000012
【図１１】
2014043311.tif 000013
【図１２】
2014043311.tif 000014